(57)【要約】      （修正有）【課題】圧縮プロセス中に油を注入する油冷式スクリュー流体機械において，好適なスクリューロータ冷却手段を実現することが課題である。【解決手段】雄ロータ５，雌ロータ６の内部を冷却する冷却手段の構成として，雄ロータ５は，雄ロータ５内部に貫通していない雄ロータ内部孔５ａを有する。さらに，雄ロータ内部孔５ａ内には，雄ロータ用固定式冷却通路部材２１の内部通路部２１ａを配置する。内部通路部２１ａは，モータケーシングフタ１２に固定される雄ロータ用固定式冷却通路部材２１の一部であり，モータケーシングフタ１２に固定されることから雄ロータ５と共に回転することはない。同様に雌ロータ６側にも設ける。【選択図】図１
2017110517.tif 000002
【特許請求の範囲】
【請求項１】
互いに噛合いながら回転する雄ロータ及び雌ロータと，前記雄ロータ及び前記雌ロータを回転自在に支持する軸支持手段と，前記雄ロータ及び前記雌ロータを収納するケーシングと，前記雄ロータと前記雌ロータと前記ケーシングとから構成する複数の作動室と，前記作動室へ圧縮プロセス中に油を注入する油注入手段と，前記雄ロータあるいは前記雌ロータを回転駆動する駆動手段と，前記雄ロータ及び前記雌ロータの内部に構成する冷却手段と，圧縮後の被圧縮ガスから油を分離する油分離手段と，圧縮後の被圧縮ガスを冷却するための冷却手段と，を有するスクリュー流体機械において，
スクリュー流体機械自身にて生成した高圧と，前記高圧より低い圧力との圧力差によって，雄ロータ及び雌ロータを冷却するための冷却媒体を，前記雄ロータ及び前記雌ロータの内部に構成する前記冷却手段内で流動させることを特徴とするスクリュー流体機械。
【請求項２】
請求項１記載のスクリュー機械であって，
前記雄ロータ及び前記雌ロータの内部に構成した前記冷却手段を，前記雄ロータ及び前記雌ロータ内を貫通しない孔と，前記貫通しない孔内部に配設して前記雄ロータ及び前記雌ロータと共に回転せずに固定された冷却通路とで構成することを特徴とするスクリュー流体機械。
【請求項３】
請求項１又は２のいずれか１項に記載のスクリュー流体機械であって，
前記雄ロータ及び前記雌ロータ内を貫通しない孔を，前記雄ロータ及び雌ロータの軸中心に設けたことを特徴とするスクリュー流体機械。
【請求項４】
請求項１〜３のいずれか１項に記載のスクリュー流体機械であって，
前記雄ロータ及び前記雌ロータ内を前記冷却媒体が往復流動することを特徴とするスクリュー流体機械。
【請求項５】
請求項１〜４記載のいずれか１項にスクリュー流体機械であって，
前記油分離手段からスクリュー流体機械へ返油される油を，前記冷却媒体に用いることを特徴とするスクリュー流体機械。
【請求項６】
請求項５記載のスクリュー流体機械であって，
前記冷却媒体である前記油分離手段からスクリュー流体機械へ返油される油を，油冷却手段により冷却した後に前記雄ロータ及び前記雌ロータ内を流動させることを特徴とするスクリュー流体機械。
【請求項７】
請求項５又は６のいずれか１項に記載のスクリュー流体機械であって，
前記冷却媒体である前記油分離手段からスクリュー流体機械へ返油される油を，前記雄ロータ及び前記雌ロータ内を冷却後に前記軸支持手段へ供給することを特徴とするスクリュー流体機械。
【請求項８】
請求項１〜４のいずれか１項に記載のスクリュー流体機械であって，
前記圧縮後の被圧縮ガスを冷却するための冷却手段後流の低温ガスを，前記冷却媒体に用いることを特徴とするスクリュー流体機械。
【請求項９】
請求項１〜４記載のいずれか１項にスクリュー流体機械であって，
圧縮後の被圧縮ガスを除湿するための除湿手段を備え，かつ，前記除湿手段後流の低温ガスを前記冷却媒体に用いることを特徴とするスクリュー流体機械。
【請求項１０】
請求項１〜９記載のいずれか１項にスクリュー流体機械であって，
前記駆動手段に扁平磁石モータを用いることを特徴とするスクリュー流体機械。
【請求項１１】
請求項１０記載のスクリュー流体機械であって，
前記扁平磁石モータに，軸方向にギャップを構成するアキシャルギャップ回転子を有するモータを用いることを特徴とするスクリュー流体機械。
【請求項１２】
請求項１〜１１のいずれか１項に記載のスクリュー流体機械であって，
スクリュー流体機械自身を縦置型として，上部に前記雄ロータあるいは前記雌ロータを回転駆動する前記駆動手段を，下部に前記油分離手段をスクリュー流体機械自身と一体配設し，前記油分離手段と前記油分離手段に近い側の軸受部とを連通空間として構成したことを特徴とするスクリュー流体機械。
【発明の詳細な説明】
【技術分野】
【０００１】
本発明は，圧縮プロセス中に油を注入する油冷式スクリュー流体機械に関し，特にスクリューロータを冷却することによって高いエネルギー効率を実現するに好適なスクリュー流体機械に関するものである。
【背景技術】
【０００２】
スクリュー流体機械は，空気圧縮機や冷凍空調用圧縮機として広く普及している。近年，スクリュー流体機械では省エネ化が強く求められるようになっており，高エネルギー効率，高風量(能力)であることが益々重要になっている。
【０００３】
スクリュー流体機械のエネルギー効率向上においては，作動室を構成するスクリューロータを冷却することが有効であることが知られており，特許文献１に記載のものなどがある。また，２つのロータを備えた真空ポンプにおいてもロータ内を冷却することが有効であることが知られており，特許文献２に記載のものなどがある。
【０００４】
特許文献１には，無給油式スクリュー圧縮機において，ケーシング内に収納した一対の互いにかみ合う雌，雄ロータおよびその軸に貫通路を軸方向にそれぞれ設け，この両貫通路の反ロータ側開口にノズルをそれぞれ対設させ，この両ノズルを流量制御弁または温度調節弁およびオイルクーラを順次に備える冷却用潤滑油系路に連通させると共に，前記流量制御弁をモータを介して前記両ロータの吐出ポートに設けた温度センサに接続するか，または，前記温度調節弁をオイルクーラの入口側に連通したものであり，ロータ冷却用の潤滑油の流量または温度をコントロールすることにより，両ロータ間のギャップを常に一定に，かつ最小状態に保持し，圧縮機の性能を向上させることができるとした記載がある。
【０００５】
特許文献２には，２つのロータを備えた二軸式真空ポンプにおいて，ロータが軸によって片持ち支承されている形式のものであって，ロータが中空に穿孔されており，軸とロータとの間の嵌合部位の高さに冷却系が配置されており，冷却系が軸受まで延在していて軸受温度を低く保つようになっているものであり，できるだけ高い回転数及びできるだけ少量のギャップ漏れ量で運転できるとした記載がある。
【先行技術文献】
【特許文献】
【０００６】
【特許文献１】特開昭５９−１１５４９２号公報
【特許文献２】特表２００４−５０６１４０公報
【発明の概要】
【発明が解決しようとする課題】
【０００７】
スクリューロータの冷却構造としては，無給油式スクリュー流体機械にてスクリューロータ内を貫通する孔構造が知られている。無給油式であることから圧縮ガスと油の混合が許されないため，油などの冷却媒体を貫通孔内で流動させるためには，油を昇圧できる給油手段が別途必要となり，システムとして複雑になるといった課題がある。
【０００８】
特許文献１は，無給油式スクリュー流体機械における貫通孔構造の一例であり，前述のように油を昇圧できる給油手段が別途必要であるためシステムが複雑となる。
【０００９】
特許文献２では，２つのロータを備えた二軸式真空ポンプのロータ内に配設した冷却経路に関する記載がありロータ内に配設した冷却経路は貫通していないが，底部の油溜めから油を供給するために油を昇圧できる給油手段が別途必要であり，システムは複雑となる。なお，前記冷却経路には区分管が配設されているが，当該区分管は，軸と一緒に回転するために固定式ではなく，この点，本発明における固定された冷却通路とは異なっている。
【００１０】
本発明の課題は，圧縮プロセス中に油を注入する油冷式スクリュー流体機械において好適なスクリューロータ冷却手段を実現することである。
【課題を解決するための手段】
【００１１】
上記課題を解決するため，本発明の特徴は，互いに噛合いながら回転する雄ロータ及び雌ロータと，雄ロータ及び雌ロータを回転自在に支持する軸支持手段と，雄ロータ及び雌ロータを収納するケーシングと，雄ロータと雌ロータとケーシングとから構成する複数の作動室と，作動室へ圧縮プロセス中に油を注入する油注入手段と，雄ロータあるいは雌ロータを回転駆動する駆動手段と，雄ロータ及び雌ロータの内部に構成する冷却孔と，圧縮後の被圧縮ガスから油を分離する油分離手段と，圧縮後の被圧縮ガスを冷却するための冷却手段と，を有するスクリュー流体機械において，スクリュー流体機械自身にて生成した高圧と，前記高圧より低い圧力との圧力差によって，雄ロータ及び雌ロータを冷却するための冷却媒体を，雄ロータ及び雌ロータの内部に構成する冷却孔内で流動させるものである。
【発明の効果】
【００１２】
本発明によれば，油冷式スクリュー流体機械におけるスクリューロータ冷却手段を，油を昇圧できる給油手段を別に必要とせずに実現することが可能になるため，高エネルギー効率を有する油冷式スクリュー流体機械を，システムを複雑化することなく実現できる。さらに，アキシャルギャップ回転子を有するモータを用いることでスクリューロータ径を太くすることが可能となり，スクリューロータ内部に設けた冷却孔面積を広く確保できるようになるのでスクリューロータの冷却効果を高めることが可能になる。さらに，当該スクリュー流体機械を縦置型とし，下部に油分離手段を一体配設した場合，スクリューロータの冷却手段が貫通孔によるものに比べて，該油分離手段と該油分離手段に近い側の軸受部を連通空間として構造を簡単化することが可能になるため，高エネルギー効率を有する油冷式スクリュー流体機械を，構造を複雑化することなく実現できる。
【図面の簡単な説明】
【００１３】
【図１】実施例１に係るスクリュー流体機械の正面図。
【図２】従来のスクリュー流体機械の側面図。
【図３】実施例２に係るスクリュー流体機械の正面図。
【図４】実施例３に係るスクリュー流体機械の正面図。
【図５】実施例４に係るスクリュー流体機械の正面図。
【図６】実施例５に係るスクリュー流体機械の正面図。
【発明を実施するための形態】
【００１４】
以下，本発明のスクリュー流体機械の具体的実施例を図面に基づいて説明する。なお，各図において，同一符号を付した部分は同一或いは相当する部分を示している。
【実施例１】
【００１５】
図１と図２を用いて，本発明のスクリュー流体機械の実施例１を説明する。図１は，実施例１のスクリュー流体機械の正面図であり，図２は，従来のスクリュー流体機械の側面図である。
【００１６】
実施例１の構造について説明する。図１において，スクリュー流体機械は，圧縮部１と駆動部２から構成される。圧縮部１は，メインケーシング３内に，ケーシングボア４，雄ロータ５，雌ロータ６を基本部材としてなる作動室を構成し，雄ロータ５が駆動部２により回転駆動されると噛み合っている雌ロータ６も共に回転して圧縮動作を行う。スクリュー流体機械に吸込まれる気体は，吸込口(図示せず。図２での７に相当)を通過して作動室へ吸込まれ，圧縮された後は，吐出口(図示せず。図２での８に相当)を経由して吐出する。圧縮部１の吐出口側には，Ｄケーシング９を配置している。Ｄケーシング９内には，雄雌ロータの回転軸が突出し，この回転軸を回転自在に支持する雄ロータ５の吐出側軸受部１０と雌ロータ６の吐出側軸受部１８が配設されている。雄ロータ５の吸込側軸受部１５と雌ロータ６の吸込側軸受部１９は，メインケーシング３の駆動部２側に配設されており，雄ロータ５と雌ロータ６を回転自在に支持している。また，Ｄケーシングフタ２３にて，Ｄケーシング９の反圧縮部側を密閉している。
【００１７】
駆動部２は，モータケーシング１１とモータケーシングフタ１２からなる空間内に，軸方向にギャップを構成するアキシャルギャップ回転子を有するモータ１３と雄ロータ５のモータ側回転軸５ｂが配設される。アキシャルギャップ回転子を有するモータ１３は，アキシャルギャップ回転子１３ａ，１３ｂとステータ１３ｅからなり，アキシャルギャップ回転子１３ａ，１３ｂは，磁石１３ｃ，１３ｄが配設され，また，ステータ１３ｅを挟むようにモータ側回転軸５ｂへ系合されている。なお，アキシャルギャップ回転子１３ａ，１３ｂは，片側だけで構成しても良い。
【００１８】
雄ロータ５，雌ロータ６の内部を冷却する冷却手段の構成について説明する。雄ロータ５は，雄ロータ５内部に貫通していない雄ロータ内部孔５ａを有する。さらに，雄ロータ内部孔５ａ内には，雄ロータ用固定式冷却通路部材２１の内部通路部２１ａを配置する。内部通路部２１ａは，モータケーシングフタ１２に固定される雄ロータ用固定式冷却通路部材２１の一部であり，モータケーシングフタ１２に固定されることから雄ロータ５と共に回転することはない。なお，内部通路部２１ａは，雄ロータ用固定式冷却通路部材２１と一体でも別体とした組立構造でも良い。同様に雌ロータ６にも，雌ロータ６内部に貫通していない雌ロータ内部孔６ａ，モータケーシング１１に配設された内部通路部２２ａを有する雌ロータ用固定式冷却通路部材２２にて冷却手段を構成する。なお，雌ロータ用固定式冷却通路部材２２は，モータケーシング１１でなくて，メインケーシング３に配設されても良く，さらに，モータケーシング１１や，メインケーシング３に固定されなくとも，雌ロータ６に接触しないように配設されれば良い。
【００１９】
実施例１では，雄ロータ５，雌ロータ６を冷却させる冷却媒体に，吐出後の圧縮ガスから油分離手段３２にて分離した油を用いる。ここで，冷却媒体である油の流動について説明する。吸込口(図示せず。図２での７に相当)から吸込まれるガス３０は，メインケーシング３内に構成した，ケーシングボア４，雄ロータ５，雌ロータ６を基本部材としてなる作動室で圧縮される。圧縮完了後には，圧縮プロセス中に注入された油と混合した圧縮ガス３１が吐出される。なお，圧縮ガスに混合する油は，圧縮プロセス中に注入する油の他に，吸込側軸受部１５，１９や，吐出側軸受部１０，１８を潤滑した油が混合する場合もある。油と混合した圧縮ガス３１は，油分離手段３２を経て，油と圧縮ガスに分離される。油は，油冷却手段４４を経て，雄ロータ用固定式冷却通路部材２１への供給流路４５ａと，雌ロータ用固定式冷却通路部材２２への供給流路４５ｂから，各ロータの内部通路部２１ａ，２２ａに流入する。油は，各ロータの内部孔５ａ，６ａの端部で折り返し，各ロータの内部通路部２１ａ，２２ａの外壁と各ロータの内部孔５ａ，６ａの内壁の間を流動して，雄ロータ５，雌ロータ６から排出される。雄ロータ５，雌ロータ６から排出された油は，モータケーシングフタ１２，モータケーシング１１内に設けた排出流路２４，２６を経て，各ロータ用固定式冷却通路部材２１，２２の排出流路４５ｃ，４５ｄに到達して，流路４５ｅを通過し，吸込側軸受部１５，１９，吐出側軸受部１０，１８を潤滑する流路４５ｆ，４５ｇと，作動室への油注入流路４５ｈへと分配される。なお，ここで示した油冷却手段の配置は一例であって，油冷却が不要であれば無くても良いし，作動室へ注入する油の温度管理を行う必要がある場合は，作動室への油注入流路４５ｈに油温制御手段を配置しても良い。また，固定式冷却通路部材２１，２２から排出後の油を，必ずしも軸受部の潤滑や，作動室への注入に用いる必要はなく，別の油経路で各々構成しても構わない。また，冷却媒体である油の流動方向は，図１に示した４５ａ→４５ｃ，４５ｂ→４５ｄの逆方向でも構わない。なお，実施例１では，油と分離した圧縮ガスは，ガス冷却手段３４，除湿手段３５を経て吐出流路３６より，圧縮ガスを排出する例を記載している。
【００２０】
冷却媒体である油の流動に対する軸封手段の配設について説明する。ここで，軸封手段は，冷却媒体である油の侵入を防ぐシール手段を示す。図１に図示した軸封手段は，雄ロータ５とモータケーシング１１との間の軸封手段１７，モータケーシングフタ１２と雄ロータ用固定式冷却通路部材２１との間の軸封手段１６，雌ロータ６とモータケーシング１１との間の軸封手段２０，の３ヶ所であるが，本発明では，軸封手段１６，２０の２ヶ所が必要である。モータケーシングフタ１２と雄ロータ用固定式冷却通路部材２１との間の軸封手段１６は，雄ロータ５を冷却し終えた油がモータ１３の空間に流入することを防ぐためのものであり，モータ空間に油が流入すると撹拌抵抗による動力の上昇が発生する不具合が生じる。油量が少なかったり，モータ室に流入した油がモータ内での撹拌を生じないよう排出する手段をモータ空間内に別に設けている場合は，必ずしも必要ではない。なお，モータ空間内に油撹拌を防ぐ流路が設けられている場合は，モータケーシングフタ１２内の排油流路２４を別に前記油撹拌防止通路に合わせて設ける。雌ロータ６とモータケーシング１１との間の軸封手段２０は，雌ロータ６を冷却し終えた油が吸込側軸受部１９の空間に流入することを防ぐためのものである。雌ロータ６を冷却し終えた油を，排油流路４５ｄを通過させずに，直接に吸込側軸受部１９の潤滑に用いても良く，この場合は，軸封手段２０は不要となる。
【００２１】
図１に図示した構成の他に，モータ１３の反圧縮部側にモータ側回転軸５ｂを回転自在に支持する軸受部をモータケーシングフタ１２に設けても良い。また，モータ１３は，アキシャルギャップ回転子を有する構成で図示したが，ラジアルギャップ回転子を有するモータであっても良い。
【００２２】
続いて，図２を用いて，従来構造と比較する。図２には，従来構造として無給油式スクリュー流体機械の側面図を，圧縮部１０１のみで示した。圧縮部１０１は，メインケーシング１０３内に，ケーシングボア１０４，雄ロータ１０５，雌ロータ(図示せず)を基本部材としてなる作動室を構成し，雄ロータ１０５がモータの回転力を伝達する増速ギア１３２により回転駆動されると，雌ロータを雄ロータ５と非接触で回転させるためのタイミングギア１３１も共に回転すると共に雌ロータも回転して圧縮動作を行う。スクリュー流体機械に吸込まれる気体は，吸込口７を通過して作動室へ吸込まれ，圧縮された後は，吐出口８を経由して吐出する。圧縮部１０１の吐出口側には，Ｄケーシング１０９を配置している。Ｄケーシング１０９内には，雄雌ロータの回転軸が突出し，この回転軸を回転自在に支持する雄ロータ１０５の吐出側軸受部１１０と雌ロータの吐出側軸受部(図示せず)が配設されている。雄ロータ１０５の吸込側軸受部１１５と雌ロータの吸込側軸受部(図示せず)は，メインケーシング１０３の増速ギア１３２側に配設されており，雄ロータ１０５と雌ロータを回転自在に支持している。また，Ｄケーシングフタ１２３にて，Ｄケーシング１０９の反圧縮部側を密閉しているが，ロータの冷却媒体である油を供給するための通路１４０を設けてある。ロータの冷却に当っては，ロータ内に貫通孔１０５ａを配設し，外部に給油ポンプ１４１を設ける。冷却媒体である油は，外部の給油ポンプ１４１により昇圧され，Ｄケーシングフタ１２３に設けた通路１４０を通ってロータ内部貫通孔１０５ａに流入する。ロータ内部貫通孔１０５ａに流入した油は，ロータを突き抜けて増速ギア１３２側から排出する。油の軸封手段としては，ロータと増速ギア１３２との間の軸封手段１２０，ロータとタイミングギア１３１との間の軸封手段１２１を設けている。無給油式スクリュー流体機械であることから，圧縮プロセス中に作動室へ油を注入することは無いし，軸受部１１０，１１５を潤滑した油が作動室へ入ることもないため，圧縮ガスに油は含まれないことから，油を冷却媒体として流動させる場合には，別に昇圧手段が必要となる。
【００２３】
実施例１の効果について説明する。実施例１であれば，スクリューロータを冷却するに当たって，冷却媒体である油を昇圧できる給油手段を別に必要とせずに実現することが可能になるため，高エネルギー効率を有する油冷式スクリュー流体機械を，システムを複雑にすることなく実現することが可能になる。また，モータにアキシャルギャップ回転子を有するモータを用いることで，ラジアルギャップ回転子を有するモータに比べて雄ロータ内部孔の通路面積を大きく取ることができるため冷却作用を大きくすることが可能になって，さらなる高エネルギー効率を実現することが可能になる。また，雌ロータを冷却し終えた油を直接に吸込側軸受部に排出することで，ロータ冷却部構造の簡単化を図ることができる。さらに，当該スクリュー流体機械を縦置型とし，下部に油分離手段を一体配設した場合，スクリューロータの冷却手段が貫通孔によるものに比べて，該油分離手段と該油分離手段に近い側の軸受部を連通空間として構造を簡単化することが可能になるため，高エネルギー効率を有する油冷式スクリュー流体機械を，構造を複雑化することなく実現できる
【実施例２】
【００２４】
図３を用いて，スクリュー流体機械の実施例２を説明する。実施例２の説明に当たっては，実施例１と異なる点を中心に説明し，同一部分については説明を省略する。
【００２５】
実施例１との相違は，雄ロータ５，雌ロータ６を冷却させる冷却媒体に，吐出後に油を分離した圧縮ガスであって，ガス冷却手段３４通過後の圧縮ガスを用いることにある。ここで，冷却媒体であるガス冷却手段３４通過後の圧縮ガスの流動について説明する。油と混合した圧縮ガス３１は，油分離手段３２を経て，油と圧縮ガスに分離される。圧縮ガスは，ガス冷却手段３４を経て，雄ロータ用固定式冷却通路部材５１への供給流路５０ａと，雌ロータ用固定式冷却通路部材２２への供給流路５０ｂから，各ロータの内部通路部５１ａ，２２ａに流入する。圧縮ガスは，各ロータの内部孔５ａ，６ａの端部で折り返し，各ロータの内部通路部５１ａ，２２ａの外壁と各ロータの内部孔５ａ，６ａの内壁の間を流動して，雄ロータ５，雌ロータ６から排出される。雄ロータ５，雌ロータ６から排出された圧縮ガスは，雄ロータ用固定式冷却通路部材５１，モータケーシング１１内に設けた排出流路５４，２６を経て，各ロータ用固定式冷却通路部材５１，２２の排出流路５０ｃ，５０ｄに到達して，流路５０ｅを通過し，圧縮ガス流路５０ｆへと戻る。なお，ガス冷却手段３４通過後の圧縮ガスは，全量をロータ冷却のために流動させる必要はなく，冷却に必要な量だけ流動させればよい。また，冷却媒体である圧縮ガスの流動方向は，図３に示した５０ａ→５０ｃ，５０ｂ→５０ｄの逆方向でも構わない。実施例２では，実施例１にて図示したモータケーシングフタ１２と雄ロータ用固定式冷却通路部材５１との間の軸封手段が不要となる。雄ロータ５とモータケーシング１１との間の軸封手段１７があることから，モータ空間への油侵入を防ぐ必要が無いためである。
【００２６】
実施例２の特有の効果について説明する。実施例２であれば，冷却媒体に圧縮ガスを用いることで軸封の数を減らすことが可能になり，部品点数減，レイアウト簡単化により，安価でスクリューロータの冷却手段を構成することが可能になる。
【実施例３】
【００２７】
図４を用いて，スクリュー流体機械の実施例３を説明する。実施例３の説明に当たっては，実施例２と異なる点を中心に説明し，同一部分については説明を省略する。
【００２８】
実施例２との相違は，雄ロータ５，雌ロータ６を冷却させる冷却媒体に，吐出後に油を分離した圧縮ガスであって，除湿手段３５通過後の圧縮ガスを用いることにある。除湿手段３５通過後の圧縮ガスを用いる点以外，実施例２の供給，排出流路の基本的な構成は同じである。圧縮ガスは，除湿手段３５を経て，雄ロータ用固定式冷却通路部材５１への供給流路６０ａと，雌ロータ用固定式冷却通路部材２２への供給流路６０ｂから，各ロータの内部通路部５１ａ，２２ａに流入する。圧縮ガスは，各ロータの内部孔５ａ，６ａの端部で折り返し，各ロータの内部通路部５１ａ，２２ａの外壁と各ロータの内部孔５ａ，６ａの内壁の間を流動して，雄ロータ５，雌ロータ６から排出される。雄ロータ５，雌ロータ６から排出された圧縮ガスは，雄ロータ用固定式冷却通路部材５１，モータケーシング１１内に設けた排出流路５４，２６を経て，各ロータ用固定式冷却通路部材５１，２２の排出流路６０ｃ，６０ｄに到達して，流路６０ｅを通過し，圧縮ガス流路６０ｆへと戻る。なお，除湿手段３５通過後の圧縮ガスは，全量をロータ冷却のために流動させる必要はなく，冷却に必要な量だけ流動させればよい。また，冷却媒体である圧縮ガスの流動方向は，図４に示した６０ａ→６０ｃ，６０ｂ→６０ｄの逆方向でも構わない。
【００２９】
実施例３の特有の効果について説明する。実施例３では，実施例２に比べて，除湿手段３５後流の圧縮ガスを用いることで，より低温に圧縮ガスを冷却することが可能であるため，スクリューロータの冷却効果が高く，安価かつ高エネルギー効率なスクリューロータの冷却手段を構成することが可能になる。
【実施例４】
【００３０】
図５を用いて，スクリュー流体機械の実施例４を説明する。実施例４の説明に当たっては，実施例１〜３と異なる点を中心に説明し，同一部分については説明を省略する。
【００３１】
実施例１〜３との相違は，作動室の高圧側と低圧側の配置が逆な点である。実施例４では，作動室の高圧側を，駆動部２側に配設しており，吸込まれるガス７３は，作動室の反駆動部側から吸込まれ，圧縮されたガス７４は，作動室の駆動部側から吐出される。よって，スクリューロータの高温部は，高圧作動室側に発生することから，雄ロータ内部孔７５ｃ，雌ロータ内部孔７６ｃと，雄ロータ用固定式冷却通路部材７１の内部通路７１ａ，雌ロータ用固定式冷却通路部材７２の内部通路７２ａとを，スクリューロータの高温部である高圧側付近までで構成すれば，スクリューロータの冷却を効率よく行え，かつ，構造を簡単化できる点が実施例４の特有の効果である。なお，図５では，実施例４と異なる部分の構造として実施例１を代表として図示した。
【実施例５】
【００３２】
図６を用いて，スクリュー流体機械の実施例５を説明する。実施例５の説明に当たっては，実施例１〜４と異なる点を中心に説明し，同一部分については説明を省略する。
【００３３】
実施例１〜４との相違は，縦置型のスクリュー流体機械である点である。圧縮後の吐出ガスから油を分離する油分離手段８３をスクリュー流体機械の下部に一体構造とし，スクリュー流体機械下部に分離後の油８４が貯えられる。スクリューロータ冷却手段に貫通しない孔構造を用いることで，貫通孔構造に対して油分離手段８３内をスクリューロータの冷却媒体が通過する必要無く構成できるため，構造の簡単化を図ることが可能になる。実施例５の特有の効果としては，縦置型でスクリュー流体機械の下部に油分離手段を１体構造で構成する場合に簡単な構成でスクリューロータ冷却手段を構成できる点にある。
【符号の説明】
【００３４】
１：圧縮部，２：駆動部，３：メインケーシング，４：ケーシングボア，
５，７５，１０５：雄ロータ，５ａ：雄ロータ内部孔，
６，７６：雌ロータ，６ａ：雌ロータ内部孔，
７：吸込口，８：吐出口，９：Ｄケーシング，
１０：雄ロータの吐出側軸受部，１１：モータケーシング，１２：モータケーシングフタ，
１３：アキシャルギャップ回転子を有するモータ，
１３ａ，１３ｂ：アキシャルギャップ回転子，１３ｃ，１３ｄ：磁石，１３ｅ：ステータ
１５：雄ロータの吸込側軸受部，
１６：モータケーシングフタ１２と雄ロータ用固定式冷却通路部材２１との間の軸封手段，
１７：雄ロータ５とモータケーシング１１との間の軸封手段，
１８：雌ロータの吐出側軸受部，１９：雌ロータの吸込側軸受部，
２０：雌ロータ６とモータケーシング１１との間の軸封手段，
２１：雄ロータ用固定式冷却通路部材，
２１ａ：雄ロータ用固定式冷却通路部材の内部通路部
２２：雌ロータ用固定式冷却通路部材，
２２ａ：雌ロータ用固定式冷却通路部材の内部通路部
２３：Ｄケーシングフタ，２４，２６：排出流路，３０：吸込まれるガス，
３１：吐出後の油と混合した圧縮ガス，３２：油分離手段，３４：ガス冷却手段，
３５：除湿手段，４４：油冷却手段，４５ａ，４５ｂ：供給流路，
４５ｃ，４５ｄ：排出流路，４５ｅ，４５ｆ，４５ｇ，４５ｈ：流路，
１０５ａ：ロータ内部貫通孔，１３１：タイミングギア，１３２：増速ギア，
１４０：油流路，１４１：外部給油ポンプ
【図１】
2017110517.tif 000003
【図２】
2017110517.tif 000004
【図３】
2017110517.tif 000005
【図４】
2017110517.tif 000006
【図５】
2017110517.tif 000007
【図６】
2017110517.tif 000008